(57)【特許請求の範囲】
【請求項１】
座部の側部に設ける肘掛け部の下方に操作器を置くことができる操作器置き台を設け、この操作器置き台の位置を可変するために操作器置き台を本体と接合する置き台取り付け部を中心に旋回し得るようにして操作器置き台の位置を移動自在にして成ることを特徴とする椅子式マッサージ機。
【請求項２】
座部の側部に設ける肘掛け部の下方に操作器を置くことができる操作器置き台を設け、この操作器置き台の位置を可変するために操作器置き台を本体と接合する部分に操作器置き台をスライド自在に支持するスライド機構を設け、操作器置き台のスライドで操作器置き台の位置を移動自在にして成ることを特徴とする椅子式マッサージ機。
【請求項３】
座部の側部に設ける肘掛け部の下方に操作器を置くことができる操作器置き台を設け、この操作器置き台の位置を可変するために操作器置き台の側面部を支点として操作器置き台を本体に対して回動自在に支持し、操作器置き台を水平または垂直方向に向けるように移動自在にして成ることを特徴とする椅子式マッサージ機。
【発明の詳細な説明】
【０００１】
【発明の属する技術分野】
本発明は、操作器を置くことができる操作器置き台（操作器収納位置）を変更し得るようにした椅子式マッサージ機に関するものである。
【０００２】
【従来の技術】
従来よりこの種の椅子式マッサージ機にあっては、操作器置き台（収納位置）を椅子の背面や椅子のサイドポケットやサイド部に取り付けしたものがあったが、いずれも操作器の収納状態からの使用者の操作は不可能かあるいは使いにくいものであった。
【０００３】
【発明が解決しようとする課題】
しかし、使用者の立場からすると、収納位置で操作器を操作できないことは使用者にとっては不便なことであった。
【０００４】
本発明は叙述の点に鑑みてなされたものであって、操作器を収納位置に置いた状態でも使用することができる椅子式マッサージ機を提供するにある。
【０００５】
【課題を解決するための手段】
上記課題を解決するために本発明の請求項１の椅子式マッサージ機は、座部１の側部に設ける肘掛け部２の下方に操作器３を置くことができる操作器置き台４を設け、この操作器置き台４の位置を可変するために操作器置き台４を本体と接合する置き台取り付け部を中心に旋回し得るようにして操作器置き台４の位置を移動自在にして成ることを特徴とする。肘掛け部２の下の操作器置き台４に操作器３を置いて操作器３を肘掛け部２の下に収納することができて操作器３を床面に放置したりすることなく、足による踏み付けで操作器３を破壊したりするおそれがないと共に椅子式マッサージ機の移動時などの側面への当たりなどでも操作器３が床面に落ちたり破壊したりしない。また使用者が椅子５の座部１に座るときの邪魔にならない。また操作器置き台４を旋回して移動できるために使用者が操作器３を見やすい位置に移動できて便利に使用できる。また使用しない時は肘掛け部２の下に操作器置き台４を収納できて操作器３を邪魔にならない位置に収納できる。
【０００６】
また本発明の請求項２の椅子式マッサージ機は、座部１の側部に設ける肘掛け部２の下方に操作器３を置くことができる操作器置き台４を設け、この操作器置き台４の位置を可変するために操作器置き台４を本体と接合する部分に操作器置き台４をスライド自在に支持するスライド機構を設け、操作器置き台４のスライドで操作器置き台４の位置を移動自在にして成ることを特徴とする。肘掛け部２の下の操作器置き台４に操作器３を置いて操作器３を肘掛け部２の下に収納することができて操作器３を床面に放置したりすることなく、足による踏み付けで操作器３を破壊したりするおそれがないと共に椅子式マッサージ機の移動時などの側面への当たりなどでも操作器３が床面に落ちたり破壊したりしない。また使用者が椅子５の座部１に座るときの邪魔にならない。また操作器置き台４をスライドさせて使用者が操作器３を見やすい位置に移動させることができる。また操作器３を使用しない時は操作器３を肘掛け部２の下に位置させることができて操作器３を邪魔にならない位置に収納できる。
【０００７】
また本発明の請求項３の椅子式マッサージ機は、座部１の側部に設ける肘掛け部２の下方に操作器３を置くことができる操作器置き台４を設け、この操作器置き台４の位置を可変するために操作器置き台４の側面部を支点として操作器置き台４を本体に対して回動自在に支持し、操作器置き台４を水平または垂直方向に向けるように移動自在にして成ることを特徴とする。肘掛け部２の下の操作器置き台４に操作器３を置いて操作器３を肘掛け部２の下に収納することができて操作器３を床面に放置したりすることなく、足による踏み付けで操作器３を破壊したりするおそれがないと共に椅子式マッサージ機の移動時などの側面への当たりなどでも操作器３が床面に落ちたり破壊したりしない。また使用者が椅子５の座部１に座るときの邪魔にならない。また操作器置き台４を垂直方向に向けることで操作器３を垂直方向を向けて見やすくでき、しかも操作器置き台４を水平にすることで操作器３が邪魔にならないように収納できる。
【０００８】
【発明の実施の形態】
椅子式マッサージ機は図１に示すような椅子５にマッサージ装置を内蔵して形成されている。椅子５は座部１と、背部７と、座部１の両側の上部に設けた肘掛け部（アームレスト）２、側部フレーム８と、後部フレーム９とで構成されている。そして背部７にはマッサージ装置が内装されている。このマッサージ装置はワイヤードリモコンまたはワイヤレスリモコンのような操作器３で操作できるようになっている。そして操作器３を置くことができる操作器置き台４が両側の肘掛け部２のうち一方の肘掛け部２の下方に配置して後部フレーム９に取り付けられている。この操作器置き台４は操作器置き台４の位置が可変できるように後部フレーム９に移動自在に取り付けられている。一例としては、図２に示すように操作器置き台４の一端から取り付け片１０を連出してあり、後部フレーム９の上端には上方に突出するように支持軸１１を突設してあり、支持軸１１に取り付け片１０を回転自在に装着してあり、図２（ａ）の矢印のように支持軸１１を中心に操作器置き台４を水平面で左右に旋回するようにしてある。この操作器置き台４は単に操作器３を載せるだけで保持できるようになっていても、磁石等で磁着して保持したり、機械的に着脱自在に装着して保持できるようになっていてもよい。図２の例では操作器置き台４の上面の両側に操作器３を位置決めする縁部１２を設けてある。しかして操作器置き台４に操作器３を載せた状態で、操作器置き台４を肘掛け部２の下に位置させると、操作器３が肘掛け部２の下に隠れるように収納でき、またこの状態から操作器置き台４を旋回させて側方に突出させると、操作器３を肘掛け部２の真下から側方に突出させて操作器３を便利に使用することができる。
【０００９】
図３は操作器置き台４を移動自在に支持する他の例を示すものである。本例の場合、後部フレーム９に前後または左右方向に長い一対のスライドレール１３を装着してあり、操作器置き台４の下面側に設けた取り付け部１４をスライドレール１３にスライド自在に装着してある。しかして操作器３を載せた操作器置き台４を図３（ａ）の矢印のように前後または左右方向にスライドさせて移動させることができ、操作器置き台４を肘掛け部２の下に収納したり、肘掛け部２の下から出したりできる。本例では操作器置き台４を前後または左右にスライド移動するようにしたが、スライドレール１３を上下方向に設けて操作器置き台４が上下にスライドするようにしてもよい。この場合、操作器３を操作器置き台４の上に置いたとき操作器３が操作器置き台４から脱落しないように保持する必要がある。
【００１０】
また図４は操作器置き台４を移動自在に支持する他の例を示すものである。この場合、操作器置き台４の一側を軸１５にて回動自在に後部フレーム９に装着してあり、操作器置き台４を水平にしたり、垂直にしたりするように起倒自在にしてある。この場合、操作器置き台４に操作器３を脱落しないように保持する必要がある。しかして操作器置き台４を図４の実線に示すように水平にすることで操作器３を収納でき、操作器置き台４を図４の２点鎖線で示すように立てることで操作器３を使用状態にできる。操作器置き台４を水平に倒した状態では肘掛け部２の幅Ａと操作器置き台４の幅ＢとはＡ＜Ｂであるが、２点鎖線で示すように操作器置き台４を立てることで幅Ａより狭くなると共に操作器３が側方に位置して操作器３の操作が可能となる。
【００１１】
【発明の効果】
本発明は、座部の側部に設ける肘掛け部の下方に操作器を置くことができる操作器置き台を設けているので、肘掛け部の下の操作器置き台に操作器を置いて操作器を肘掛け部の下に収納することができて操作器を床面に放置したりすることなく、足による踏み付けで操作器を破壊したりするおそれがないと共に椅子式マッサージ機の移動時などの側面への当たりなどでも操作器が床面に落ちたり破壊したりしないものであり、また使用者が椅子の座部に座るときの邪魔にならないものである。
【００１２】
また本発明の請求項１の発明は、操作器置き台を本体と接合する置き台取り付け部を中心に旋回し得るようにして操作器置き台の位置を移動自在にしているので、操作器置き台を旋回して移動できるために使用者が操作器を見やすい位置に移動できて便利に使用できるものであり、また使用しない時は肘掛け部の下に操作器置き台を収納できて操作器を邪魔にならない位置に収納できるものである。
【００１３】
また本発明の請求項２の発明は、操作器置き台を本体と接合する部分に操作器置き台をスライド自在に支持するスライド機構を設け、操作器置き台のスライドで操作器置き台の位置を移動自在にしているので、操作器置き台をスライドさせて使用者が操作器を見やすい位置に移動させることができるものであり、また操作器を使用しない時は操作器を肘掛け部の下に位置させることができて操作器を邪魔にならない位置に収納できるものである。
【００１４】
また本発明の請求項３の発明は、操作器置き台の側面部を支点として操作器置き台を本体に対して回動自在に支持し、操作器置き台を水平または垂直方向に向けるように移動自在にしているので、操作器置き台を垂直方向に向けることで操作器を垂直方向を向けて見やすくできるものであり、また操作器置き台を水平にすることで操作器が邪魔にならないように収納できるものである。
【図面の簡単な説明】
【図１】本発明の実施の形態の一例を示し、（ａ）は全体の概略平面図、（ｂ）は概略正面図である。
【図２】同上の操作器置き台を移動自在にする構造の一例を示し、（ａ）は平面図、（ｂ）は正面図である。
【図３】同上の操作器置き台を移動自在にする構造の他例を示し、（ａ）は平面図、（ｂ）は正面図である。
【図４】同上の操作器置き台を移動自在にする構造の他例を示し、（ａ）は一部切欠側面図、（ｂ）は正面図である。
【符号の説明】
１  座部
２  肘掛け部
３  操作器
４  操作器置き台
【図１】
0003567692.tif 000002
【図２】
0003567692.tif 000003
【図３】
0003567692.tif 000004
【図４】
0003567692.tif 000005